(57)【特許請求の範囲】
【請求項１】
開口端にフランジを有するバーナ部と開口端にフランジを有する熱交換部を接続するバーナ部取り付け装置であって、一方のフランジＡに固定される固定側部材と、他方のフランジＢに装着される押圧側部材を有し、押圧側部材はフランジＢと係合する対フランジ係合部を有していて押圧側部材のフランジＡ側への移動に伴ってフランジＢを同方向に移動させ、さらに固定側部材の上方に上側へ突出する突起が設けられ、当該突起の側面側に切り込みが設けられ、当該切り込みは傾斜部を形成し、前記押圧側部材は当該傾斜部と係合する対傾斜係合部を有し、フランジＡに固定側部材を固定した状態でフランジＡ，Ｂを重ね、さらに押圧側部材をフランジＢに装着し、押圧側部材をフランジ面に沿う方向に移動させることによってフランジＢをフランジＡ側に移動させることが可能であることを特徴とするバーナ部取り付け装置。
【請求項２】
開口端にフランジを有するバーナ部と開口端にフランジを有する熱交換部を接続するバーナ部取り付け装置の構造であって、一方のフランジＡに固定される固定側部材と、他方のフランジＢに装着される押圧側部材を有し、押圧側部材はフランジＢと係合する対フランジ係合部を有していて押圧側部材のフランジＡ側への移動に伴ってフランジＢを同方向に移動させ、さらに固定側部材と押圧側部材のいずれかに傾斜部が設けられ、他方には当該傾斜部と係合する対傾斜係合部を有し、フランジＡに固定側部材を固定した状態でフランジＡ，Ｂを重ね、さらに押圧側部材をフランジＢに装着し、押圧側部材をフランジ面に沿う方向に移動させることによってフランジＢをフランジＡ側に移動させることが可能であり、フランジＡは略直方体であり、フランジＢに当接する当接面とその裏側に位置する裏面と４つの側周面を有し、固定側部材はフランジＡの裏面に当接するフランジ裏面当接部とフランジＡの３つの側周面に当接するフランジ側周面当接部を有し、さらに上記３つのフランジ側周面当接部の中で中央に位置するフランジ側周面当接部のフランジＢ側の位置に傾斜部が設けられた構造であり、押圧側部材は前記傾斜部と係合する対傾斜係合部が切り欠きであることを特徴とするバーナ部取り付け装置の構造。
【発明の詳細な説明】
【０００１】
【発明の属する技術分野】
本発明は、バーナ部と熱交換部を内蔵する給湯器における、新規のバーナ取り付け装置に関するものである。
【０００２】
【従来の技術】
図５は給湯器の断面図であり、バーナ部５０と熱交換部５１を備える。バーナ部５０は、火炎を下向きに発生するバーナを内蔵する逆燃式バーナである。また熱交換部５１は缶体に熱交換器のための水管が内蔵されたものである。給湯器では、上記したバーナ部５０を熱交換部５１の上部に載置して接合され、ユニット化されて本体ケース内に収納されている。
【０００３】
そして従来技術においては、バーナ部５０を熱交換部５１との接合は、両者のフランジ同士を直接ネジ止めすることにより行われていた。すなわち図５に示す様な構成の給湯器の場合、バーナ部５０の下部全周に取り付けられたフランジと熱交換部５１の上部全周に取り付けられたフランジを重ね合わせた後、両者のフランジの全周にわたり一定間隔でネジ止めし両者を一体化している。そのため給湯器の内部にバーナ部５０および熱交換部５１により構成されるバーナユニットを配置するためには、前記手順によりバーナ部５０および熱交換部５１を一体化したバーナユニットを外部で完成させた後給湯器の内部に取り付けねばならない。逆に故障などのためメンテナンスを行う際には、一方のみを取り出せばよい場合でもバーナユニットを取り出した後分解する必要がある。
【０００４】
【発明が解決しようとする課題】
前記したように給湯器内部に配置されるバーナ部５０および熱交換部５１を一体化するためには、両者のフランジを螺着しているが、この場合多数のねじによりフランジの全周にわたりネジ止めせねばならず組み立てに相当の手間がかかる。
【０００５】
また、従来技術によれば給湯器にバーナ部５０および熱交換部５１を収容するためには、バーナ部５０および熱交換部５１を給湯器の外部において両者のフランジをネジ止めすることで一体化した後、バーナ部５０および熱交換部５１で構成されるバーナユニットを給湯部の内部に取り付けなければならない。さらに、バーナ部５０あるいは熱交換部５１の片方のみの修理、交換あるいはメンテナンスが必要な場合であっても、全周にわたりネジ止めされているため給湯器内部で両者を分解することができず、バーナユニットの形で取り出した後分解せざるを得なかった。さらに、従来給湯器の修理やメンテナンスを行う場合は、給湯器に配管がなされている場合がほとんどであり、バーナ部５０および熱交換部５１を取り外すためにはさらに困難を伴うことが多い。
【０００６】
【課題を解決するための手段】
そこで上記した課題を解決するための請求項１記載の発明は
開口端にフランジを有するバーナ部と開口端にフランジを有する熱交換部を接続するバーナ部取り付け装置であって、一方のフランジＡに固定される固定側部材と、他方のフランジＢに装着される押圧側部材を有し、押圧側部材はフランジＢと係合する対フランジ係合部を有していて押圧側部材のフランジＡ側への移動に伴ってフランジＢを同方向に移動させ、さらに固定側部材の上方に上側へ突出する突起が設けられ、当該突起の側面側に切り込みが設けられ、当該切り込みは傾斜部を形成し、前記押圧側部材は当該傾斜部と係合する対傾斜係合部を有し、フランジＡに固定側部材を固定した状態でフランジＡ，Ｂを重ね、さらに押圧側部材をフランジＢに装着し、押圧側部材をフランジ面に沿う方向に移動させることによってフランジＢをフランジＡ側に移動させることが可能であることを特徴とするバーナ部取り付け装置である。
【０００７】
請求項１に記載のバーナ取り付け装置は、バーナ部のフランジまたは熱交換部のフランジの一方のフランジＡに固定側部材を取り付け、フランジＡの上部に他方のフランジＢを重ね合わせた後フランジＢの上部より押圧側部材を装着し、押圧側部材をフランジ面に沿う方向に移動させることによりフランジＡとフランジＢを接合する。よって、当該バーナ取り付け装置によればバーナ部と熱交換部の一体化が非常に簡略化されるばかりか、容易にバーナ部あるいは熱交換部の一方のみを取り外すことができる。
【０００８】
また請求項２に記載の発明は、
開口端にフランジを有するバーナ部と開口端にフランジを有する熱交換部を接続するバーナ部取り付け装置の構造であって、一方のフランジＡに固定される固定側部材と、他方のフランジＢに装着される押圧側部材を有し、押圧側部材はフランジＢと係合する対フランジ係合部を有していて押圧側部材のフランジＡ側への移動に伴ってフランジＢを同方向に移動させ、さらに固定側部材と押圧側部材のいずれかに傾斜部が設けられ、他方には当該傾斜部と係合する対傾斜係合部を有し、フランジＡに固定側部材を固定した状態でフランジＡ，Ｂを重ね、さらに押圧側部材をフランジＢに装着し、押圧側部材をフランジ面に沿う方向に移動させることによってフランジＢをフランジＡ側に移動させることが可能であり、フランジＡは略直方体であり、フランジＢに当接する当接面とその裏側に位置する裏面と４つの側周面を有し、固定側部材はフランジＡの裏面に当接するフランジ裏面当接部とフランジＡの３つの側周面に当接するフランジ側周面当接部を有し、さらに上記３つのフランジ側周面当接部の中で中央に位置するフランジ側周面当接部のフランジＢ側の位置に傾斜部が設けられた構造であり、押圧側部材は前記傾斜部と係合する対傾斜係合部が切り欠きであることを特徴とするバーナ部取り付け装置の構造である。
【０００９】
請求項２に記載のバーナ取り付け装置の構造はフランジの前面と背面と側面と下面に固定側部材を当接させる構成を採用するため、押圧側部材をフランジ面に沿う方向に移動させる場合においても固定側部材の位置を一定に保持することができる。また、対傾斜係合部は切り欠きであり平易な構造のため対傾斜係合部の作成が容易である。
【００１０】
【発明の実施の形態】
以下、さらに本発明の実施の形態について説明する。なお以下の説明において、上下の関係や水平・垂直、あるいは手前・奥の関係は、本実施形態のバーナ部取り付け装置を使用してバーナ部と熱交換部を接続した時における各部材の姿勢を基準とする。
本発明の実施形態のバーナ部取り付け装置は、押圧側部材１と固定側部材２によって構成されている。
図１の（イ）は本発明実施の形態のバーナー取り付け装置の固定側部材１の斜視図、（ロ）は本発明実施の形態の押圧側部材２の斜視図、（ハ）は固定側部材１のＡ−Ａ平面における断面図である。
【００１１】
押圧側部材１は一枚の鋼板を曲げ加工して成形された本体部３を有し、さらに当該本体部３に防熱板５をスポット溶接したものである。
押圧側部材１の本体部３は、側面側から見た全体形状が「Ｌ」状をしており、長尺方向の一端部が直角に折り曲げられた構造をしている。すなわち押圧側部材１は、図面の手前側が図面下側に向かって折り曲げられ、前面折り曲げ部８が形成されている。そして前面折り曲げ部８には貫通孔１７が設けられている。
【００１２】
また本体部３は各部の断面形状についても「Ｌ」状をしている。すなわち本体部３は水平状の上面部６（対傾斜係合部）を持ち、当該上面部６の片側は、図１（イ）（ハ）の様に折り曲げられて側壁部８が形成されている。
そして上面部６の奥側、すなわち上面部６であって前記した前面折り曲げ部８に対して反対側の端部には、やや上方に向かって折り曲げられた傾斜部１０が設けられている。言い換えると、上面部６の奥側の部位は、上面部に対して６０°程度の傾斜角を持つ。
【００１３】
一方、本体部３の側壁部８に注目すると、側壁部８の高さは、図１，２の様に概ね一定であり、その下端のラインは水平であるが、前面折り曲げ部８の近傍については側壁部８が略三角形をしている。そのため側壁部８の近傍においては側壁部８の下端のラインは傾斜している。
前述した前面折り曲げ部８と側壁部８の端部は溶接により接合されている。
【００１４】
また側壁部８の下端には、２か所に折り返し部１５，１６が設けられている。折り返し部１５，１６は、長さが１０〜２０ｍｍ程度であり、折り返し寸法は２〜５ｍｍ程度である。折り返し部１５，１６は、側壁部８の下端のラ
インが水平である部位の両端部に位置する。
【００１５】
また本体部の上面部６及び側壁部８により構成される角の部位には切り欠き１１および１２が設けられている。切り欠き１１の位置は、前面折り曲げ部８に近い位置であり、その形状は、長尺方向が上面部６の長尺方向に平行である長方形をしている。
切り欠き１１の本体長手方向の位置は、前記した側壁部８の下端に設けられた折り返し部１５の真上に相当する。
一方、切り欠き１２は、本体部３の奥側端部に設けられている。切り欠き１２の形状は、上面部６の長尺方向に平行である長方形である点で前記した切り欠き１１と同様であるが、奥側端部の切り欠き１２は端部側が開放された形状である点で前記した切り欠き１１と異なる。切り欠き１２の本体長手方向の位置は、前記した側壁部８の下端に設けられた折り返し部１６の真上に相当する。
【００１６】
次に固定側部材２の形状について説明する。
図１の（ロ）に示すように、固定側部材２の固定部材本体部４は平面視が略「コ」の字状であり、一枚の鋼板の長尺方向の両端部が同一方向に直角方向に折り曲げられ、固定側部材２をフランジに取り付けた場合の手前側、すなわち図１の（ロ）において手前側にフランジ前面当接部１９が形成され、他方には同様にフランジ背面当接部２０が形成される。またフランジ前面当接部１９とフランジ背面当接部２０の中間部分は、フランジ側面当接部１８として機能する。フランジ前面当接部１９には貫通孔２３，２４が、フランジ背面当接部２０には貫通孔２５が設けられている。
【００１７】
そして固定側部材２のフランジ側面当接部１８の下方の端部がフランジ前面当接部１９およびフランジ背面当接部２０と同一の方向に直角方向に折り曲げられ、フランジ下面当接部２１が形成される。また、フランジ側面当接部１８の長尺方向両端部の上方には突起４０，４１が設けられ、さらに突起４０，４１にはそれぞれ切り込み１３および切り込み１４が設けられている。なお、突起４０はフランジ側面当接部１８の前面側の端部に形成され、切り込み１３は前面側がテーパー状の傾斜を有する形状をしており背面側がフランジ側面当接部１８に垂直な形状である。また突起４０の上端部は、フランジ裏面当接部２１と逆側に直角に折り曲げられた形状である。
前記した切り込み１３の傾斜は、前端側から奥側に向かうに従って開口幅が等狭くなって行くものである。
【００１８】
また、突起４１および切り込み１４は切り込み部１３とほぼ同様の形状であり、フランジ側面当接部１８の背面側の端部に形成されている。また、切り込み１４の背面側の端部はフランジ裏面当接部２１と逆側に直角に折り曲げられ、バーナ取り付け部２３を形成しており、バーナユニット取り付け部２３には給湯器本体に燃焼部と熱交換部が一体化されたバーナユニットを取り付けるための瓢箪型の貫通孔２６が設けられている。
【００１９】
図２は固定側部材１と押圧側部材２より構成されるバーナ固定装置の組み立てを順を追って図示したバーナ取り付け装置の側面図である。なお図２の（ａ）および（ｂ）には組み立て手順の図示を明確にするために防熱板５は図示せず省略した。また、図３は当該バーナ取り付け装置を用いた、熱交換部へのバーナ部の取り付け構造を示す分解斜視図である。なお実際の熱交換部へのバーナ部の取り付けにおいては左右で同様の手順、構造であるため図３においては特に左側のみを示している。また、構造の説明を明確にするためフランジ３２，３３の間に挟まれるガスケット２７は図示せず省略した。
【００２０】
以下順を追って説明するが、実際の熱交換部へのバーナ部の取り付けにおいては左右で同様の手順、構造であるため左側のみを例にあげ説明する。
本実施例においてはバーナ固定装置は図２の（ａ）に示すように、押圧側部材１の切り欠き１４，１５および固定側部材２の切り込み１３，１４が上部に向くように配置し、固定側部材１の上部から押圧側部材２を覆い被せる形態で組み立てられる。
【００２１】
熱交換部３１の上方に設けられたフランジ３２は略直方体をしており、バーナ部３０の下端に設けられたフランジ３３と当接する当接面とその裏面と前面、背面、左面、右面の４つの側周面から構成されている。まず図３に示すように熱交換部３１の上端部に設けられたフランジ３２の側周面のうち前面、背面、左面をそれぞれ固定側部材２のフランジ前面当接部１９、フランジ背面当接部２０、フランジ側面当接部１８に当接させ、さらにフランジ３２の裏面をフランジ裏面当接部２１に当接させ、貫通孔２３および２５を介して固定側部材２をフランジ３２に螺着する。フランジ３２の上部にガスケット２７を介してフランジ３３を重ね合わせた後、図３に示すようにフランジ３３に押圧側部材１を装着し図２（ｂ）に示すようにフランジ３３の上部より押圧側部材１の切り欠き１１および１２を固定側部材２の前面側切込み１３と背面側切込み１４に係合させる。
【００２２】
その後、押圧側部材１の前面折り曲げ部に設けられた貫通孔１７と固定側部材２のフランジ前面当接部に設けられた貫通孔２４を介してネジ止めすると、ネジをねじ込むことにより押圧側部材に背面側に向かう推進力が発生し、その推進力により押圧側部材１はフランジに沿い背面側の方向に移動する。すると押圧側部材１が奥側に移動するのに従い押圧側部材１の上面部６と固定側部材２のフランジ裏面当接部２１の間隔がより狭くなり、それに伴いバーナ部３０のフランジ３３はフランジ３２側へと移動を余儀なくされる。上面部６とフランジ裏面当接部２１の間隔は前記のように押圧側部材１の背面側への移動に伴い狭くなるので、両者の間には挟着力が発生する。
【００２３】
押圧側部材１をフランジに沿い背面側の方向に移動可能な限り移動すると図２の（ｃ）の状態になる。図２の（ｃ）の状態においては同図のＡ−Ａ’断面図である図４に示すように、バーナ部３０のフランジ３３と熱交換部３１のフランジ３２は押圧側部材１の上面部６と固定側部材２のフランジ裏面当接部に挟着されており、フランジ３３とフランジ３２は互いに密接した状態となる。また、折り返し部１５，１６を図４に示すように固定側部材２のフランジ側面当接部１８に当接することにより、押圧部材１に図４中の矢印方向に発生する回転モーメントを相殺し押圧部材１と固定側部材２を固定している。押圧部材１と固定側部材２は押圧部材１に設けられた折り返し部１５，１６を図４に示すように固定側部材２のフランジ側面当接部１８に当接することにより固定される。さらに押圧部材１と固定側部材２は前面側より貫通孔１７と２４を介して螺着し一体化されるため、より完全に密着固定された状態となる。なおバーナ部３０と熱交換部３１が一体化されたユニットは給湯器内において固定側部材のバーナユニット取り付け部２２に設けられた貫通孔２６を介して給湯器の本体ケースにネジ止めされる。
【００２４】
ここで本実施例のバーナ部取り付け装置は固定側部材２が熱交換部３１のフランジ３２に取り付けられ、フランジ３３をフランジ３２に重ね、押圧側部材１をフランジ３２に装着し、押圧側部材１の切り欠き１１，１２をそれぞれ固定側部材の前面側切り込み１３と背面側切り込み１４に係合させた後前面より取り付けるネジの推進力により押圧側部材１をフランジ面に沿う方向に移動させることによりフランジ３３をフランジ３２側に移動させ両者を密着させる。よってフランジ３２，３３は押圧側部材１の前面折り曲げ部８に設けられた貫通孔１７と固定側部材２のフランジ前面固定部材１９に設けられた貫通孔２４を通じて給湯器前面よりネジ止めするだけで密着固定されるため、前記のネジの付け外しによりバーナ部３０と熱交換部３１は給湯器内において一体化あるいは取り外しが可能である。
【００２５】
本実施例においては、上部にバーナ部が下部に熱交換部が配置された構造であるが、この上下関係は逆であってもよい。また、本実施例においては熱交換部３１のフランジ３２に固定側部材２が取り付けられ、押圧側部材１をバーナ部３０のフランジ３３に装着する構造であったが、バーナ部３０のフランジ３３に固定側部材２が取り付けられ、押圧側部材１を熱交換部３１のフランジ３２に装着する構造であっても問題はない。
【００２６】
【発明の効果】
本発明のバーナ部取り付け装置によれば、バーナ部と熱交換部の一体化において、一方のフランジＡに固定側部材を取り付けそのフランジに他方のフランジＢを重ね合わせた後フランジＢに押圧側部材を装着し、固定側部材あるいは押圧側部材の一方に設けられた傾斜部に前記他方に設けられた係合部を係合し押圧側部材をフランジ面に沿う方向に移動させることでフランジＢをフランジＡ側に移動させ両者を密着させることができる。また固定側部材と押圧側部材は前面よりネジ止めするだけで固定される。よって、バーナ部と熱交換部が一体化され給湯器内部に配置された状態であっても前面のネジを取り外すだけでバーナ部あるいは熱交換部を単独で給湯器内部より取り外すことができ、例えば給湯器に既に配管がなされた状態のように給湯器本体を別途の位置への移動が困難な状態であっても容易に部品の交換などのメンテナンスを施すことができる。
【００２７】
また請求項２に記載のバーナ取り付け装置では、押圧側部材をフランジ面に沿う方向に移動させる場合においても固定側部材の位置を一定に保持することができるので、作業がさらに容易である。
【図面の簡単な説明】
【図１】  請求項１記載のバーナ取り付け装置の固定側部材および押圧側部材の斜視図
【図２】  請求項１記載のバーナ取り付け装置の固定側部材および押圧側部材の組み立て方法を示す図面
【図３】  請求項２記載のバーナ取り付け構造の分解斜視図
【図４】  図２（ハ）のＡ−Ａ’断面図
【図５】  従来の給湯器の断面図
【符号の説明】
１  押圧側部材
２  固定側部材
３  本体部
４  固定部本体部
５  防熱版
６  上面部
８  前面折り曲げ部
９  側壁部
１０  傾斜部
１１，１２  切り欠き
１３  前面部切り欠き
１４  背面部切り欠き
１５，１６  折り返し部
１８  フランジ側面当接部
１９  フランジ前面当接部
２０  フランジ背面当接部
２１  フランジ裏面当接部
２２  バーナユニット取り付け部
３０  バーナ部
３１  熱交換部
３２，３３  フランジ
３４  フランジ側周面当接部
【図１】
0004807540.tif 000002
【図２】
0004807540.tif 000003
【図３】
0004807540.tif 000004
【図４】
0004807540.tif 000005
【図５】
0004807540.tif 000006